(57)【要約】【課題】  容器内への異物の侵入を効果的に抑制することができると共に、内容物を加熱した際に発生する水蒸気を容器の外側へ効果的に放散し、容器の内圧の上昇を抑制することができる容器を提供することを課題とする。【解決手段】  容器本体と、該容器本体に着脱自在に取り付けられた蓋体と、該蓋体が取り付けられた容器本体に蓋体を横断するように巻き付けられた帯状体とを備える包装用容器において、前記蓋体は、帯状体が横断する領域内に形成された凹部と、該凹部に切り込まれて形成された切込部と、前記凹部に連通し、凹部から蓋体の外周方向に向かって曲線状に延在する外方延在部を有する溝部とを備え、該外方延在部の一部が帯状体の横断する領域よりも外側に形成されていることを特徴とする。【選択図】図１
2010100311.tif 000002
【特許請求の範囲】
【請求項１】
容器本体と、該容器本体に着脱自在に取り付けられた蓋体と、該蓋体が取り付けられた容器本体に蓋体を横断するように巻き付けられた帯状体とを備える包装用容器において、前記蓋体は、帯状体が横断する領域内に形成された凹部と、該凹部に切り込まれて形成された切込部と、前記凹部に連通し、凹部から蓋体の外周方向に向かって曲線状に延在する外方延在部を有する溝部とを備え、該外方延在部の一部が帯状体の横断する領域よりも外側に形成されていることを特徴とする包装用容器。
【請求項２】
前記溝部は、凹部から離れるに従って断面積が小さくなるように形成されていることを特徴とする請求項１に記載の包装用容器。
【発明の詳細な説明】
【技術分野】
【０００１】
本発明は、食品等の内容物を収容して加熱するのに適した包装用容器に関する。
【背景技術】
【０００２】
従来から、コンビニエンスストア等において、弁当等の食品を内容物として収容する包装用容器（以下、単に容器と記す）は、食品等を収容可能に構成された容器本体と、該容器本体の開口部に着脱自在に取り付けられた蓋体と、該蓋体を容器本体の開口部に取り付けた状態（即ち、内容物を収容した状態）で容器本体と蓋体とを固定する帯状体とを備えるものである。
【０００３】
かかる容器は、店頭に陳列された際に、誤って蓋体が容器本体から外れてしまったり、不正に開封されてしまったりすることを防ぐため、帯状体によって容器本体と蓋体とが強固に固定されている。詳しくは、帯状体は、蓋体が取り付けられた容器本体に蓋体を横断するように巻き付けられることで、容器本体と蓋体とを強固に固定するように構成されている。
【０００４】
さらに、例えば、帯状体としては、熱収縮可能なフィルム（シュリンクフィルム）等から形成されたものが用いられ、帯状体が巻き付けられた状態で熱を加えることにより、容器本体と蓋体とをより強固に固定するように構成されている。
【０００５】
この種の容器は、内容物を加熱する際に、内容物を収容した状態で電子レンジ等の加熱機器に入れられ、容器ごと加熱される場合がある。この場合、加熱に伴って容器内の空気が膨張し、容器内の圧力（内圧）が高くなるのに加え、特に、内容物に水分が多く含まれている場合（内容物にゲル化したスープなどの液材等が含まれている場合）には、加熱によって水蒸気が発生し、内圧は、さらに高い状態となってしまう。このような状態では、加熱中或いは加熱後に、内圧によって蓋体が容器本体から意図せずに外れてしまったり、内圧によって容器自体が変形してしまったりすることがある。
【０００６】
このため、加熱に伴う容器の内圧の上昇を抑制すべく、蓋体の一部に容器内からの蒸気を排出する蒸気孔が備えられた容器が提案されている（特許文献１参照）。該容器は、蓋体を横断する帯状体の下方領域に蒸気孔が形成されたものであり、帯状体は、容器本体と蓋体とを強固に固定するため、容器本体及び蓋体に密着するように巻き付けられている。かかる容器は、非加熱時には蒸気孔が帯状体によって被覆された状態となっていることから、ゴミ等の異物が蒸気孔を通じて容器内へ侵入するのを抑制することが可能となっている。
【特許文献１】実開昭６２−１７１４７１号公報
【発明の開示】
【発明が解決しようとする課題】
【０００７】
しかしながら、かかる容器は、蒸気孔が帯状体によって被覆されているため、加熱によって発生した水蒸気が蒸気孔から抜け出す際には、帯状体が邪魔になって上手く水蒸気が抜け出すことができず、容器内の圧力を効果的に低下させることが困難となるケースが生じることがある。
【０００８】
そこで、本発明は、上記問題に鑑みてなされたもので、容器内への異物の侵入を効果的に抑制することができると共に、内容物を加熱した際に発生する水蒸気を容器の外側へ効果的に放散し、容器の内圧の上昇を抑制することができる容器を提供することを課題とする。
【課題を解決するための手段】
【０００９】
本発明にかかる包装用容器は、上記課題を解決すべく構成されたもので、容器本体と、該容器本体に着脱自在に取り付けられた蓋体と、該蓋体が取り付けられた容器本体に蓋体を横断するように巻き付けられた帯状体とを備える包装用容器において、前記蓋体は、帯状体が横断する領域内に形成された凹部と、該凹部に切り込まれて形成された切込部と、前記凹部に連通し、凹部から蓋体の外周方向に向かって曲線状に延在する外方延在部を有する溝部とを備え、該外方延在部の一部が帯状体の横断する領域よりも外側に形成されていることを特徴とする。
【００１０】
かかる構成の包装用容器によれば、帯状体が横断する領域内に形成された凹部と、該凹部に切り込まれて形成された切込部と、前記凹部に連通し、凹部から蓋体の外周方向に向かって曲線状に延在する外方延在部を有する溝部とが蓋体に備えられていることで、内容物が加熱されることによって発生した水蒸気を溝部を通して外部に放散することができる。
【００１１】
具体的には、帯状体が横断する領域、即ち、帯状体の下方領域に形成された凹部に切込部が形成されていることで、帯状体と切込部との間に間隔が形成されるため、帯状体に邪魔されることなく切込部からスムーズに水蒸気を包装用容器の外側、即ち、凹部へ放出させることができる。また、切込部が帯状体に覆われた状態となっているため、切込部から異物を容器内へ侵入させ難くすることができる。
【００１２】
また、溝部の外方延在部の一部が帯状体の横断する領域よりも外側に形成されていることで、溝部を通して水蒸気を帯状体の下方領域の空間から外側に放散させることができる。具体的には、帯状体の下方領域に形成された凹部にいったん水蒸気が放散され、溝部を介して帯状体の下方領域からその外側に水蒸気を放散することができる。
【００１３】
また、溝部の外方延在部が曲線状に延在していることで、外方延在部を通じて凹部へ、延いては、包装用容器内へ異物を侵入させ難くすることができる。
【００１４】
また、本発明にかかる包装用容器は、前記溝部が凹部から離れるに従って断面積が小さくなるように形成されることが好ましい。
【００１５】
かかる構成の包装用容器によれば、前記溝部が凹部から離れるに従って断面積が小さくなるように形成されることで、外部からの異物の侵入をより抑制することができる。具体的には、溝部の断面積が凹部から離れるに従って小さくなることで、帯状体の下方領域よりも外側に形成された部分の断面積が小さくなり、溝部の内側に異物が侵入するのを抑制することができる。また、凹部の近傍では、溝部の断面積を十分大きく形成することができるため、切込部から放出された水蒸気を溝部へ送りやすくすることができる。
【発明の効果】
【００１６】
以上のように、本発明によれば、容器内への異物の侵入を効果的に抑制することができると共に、内容物を加熱した際に発生する水蒸気を容器の外側へ効果的に放散し、容器の内圧の上昇を抑制することが可能となる。
【発明を実施するための最良の形態】
【００１７】
以下、本発明の一実施形態に係る包装用容器１（以下、単に「容器１」と記す）について、図１〜図４を参酌しつつ説明する。本実施形態に係る容器１は、図１（ａ）に示すように、食品等の内容物が収容される容器本体１１と、該容器本体１１に着脱自在に取り付けられた蓋体１２と、該蓋体１２が取り付けられた容器本体１１（蓋体付容器本体１０）に蓋体１２を横断するように巻き付けられた帯状体１３とを備えるものである。
【００１８】
また、容器１は、蓋体付容器本体１０に帯状体１３が巻き付けられた状態（封止状態）で、略円錐台状をなすように形成されたものである。より詳しくは、容器本体１１がその底面よりも蓋体１２が取り付けられる開口面の方が広く形成されているため、封止状態で容器１は、逆円錐台状となるように構成されている。また、容器１は、図１（ｂ）に示すように、平面視において円形状となるように構成され、蓋体１２の略中央を帯状体１３が横断するように構成されている。
【００１９】
なお、以下の説明において、「外方」、「内方」なる用語が用いられることがあるが、「外方」とは、容器１の中心から見て水平方向に広がる方向をいい、「内方」とは、水平方向において外側から容器１の中心側に向かう方向をいう。但し、これら「外方」、「内方」なる用語は、水平方向と一致する場合のみならず、それに対してある程度の角度範囲で傾斜する方向も含むものである。
【００２０】
また、容器本体１１と蓋体１２との接触部分には、嵌合構造が採用されている。具体的には、蓋体１２は、容器本体１１の開口部に内側から嵌合した状態となっている。より詳しくは、図２に示すように、容器本体１１は、大きく分けると、下方に窪んで食品等を収容する本体収容部１１１と、該本体収容部１１１の外周に沿って設けられる本体外周部１１２とから構成されている。一方、蓋体１２は、大きく分けると、上方に膨らんで容器本体１１の本体収容部１１１の開口部分を閉塞する蓋本体部１２１と、該蓋本体部１２１の外周に沿って設けられた蓋外周部１２２とから構成されている。さらに、蓋本体部１２１は、容器本体１１の底面と略平行に形成された天面部１２１ａと、該天面部１２１ａの外周から外方に向かって下方に傾斜する傾斜部１２１ｂと、該傾斜部１２１ｂの下端部と蓋外周部１２２の下端部とを連結する連結部１２１ｃとから構成されている。
【００２１】
本体外周部１１２には、内方に膨らんだ係合用凸部１１２ａが周方向に沿って連続するように形成されている。一方、蓋外周部１２２には、外方に膨らんだ係合用凸部１２２ａが周方向に沿って連続するように形成されている。そして、本体外周部１１２の係合用凸部１１２ａの下方に蓋外周部１２２の係合用凸部１２２ａが位置することで、容器本体１１と蓋体１２とが係合するように構成されている。このように、本実施形態の容器は、容器本体１１の内側で容器本体１１と蓋体１２とが嵌合するいわゆる内嵌合タイプとなっている。かかる嵌合構造をとることで、容器本体１１の外方から指等を入れにくく、容器本体１１と蓋体１２との間から異物等を侵入させる等の不正開封を抑制することが可能となる。
【００２２】
蓋体１２の外周部、即ち、蓋外周部１２２には、外方に向かって張り出すように形成された蓋外周縁１２２ｂを備えている。該蓋外周縁１２２ｂは、図示しないが、熱成形による細かな凹凸加工やエンボス加工を施すことにより、側面視にて波形（正弦波、三角波、台形波等）の外縁線、即ち、直線ではない外縁線を備えるようになっている。これらにより、蓋外周縁１２２ｂのエッジの鋭利さが解消されるため、蓋体１２を開閉する際に指先を保護することができる。また、帯状体１３を使用して容器本体１１と蓋体１２とを固定する際に、帯状体１３と蓋外周縁１２２ｂとが接触し、帯状体１３が裂断されるのを防止することができる。さらに、蓋外周縁１２２ｂの強度が増し、蓋体１２が破損するのを防止する効果もある。尚、指で摘んで容易に蓋体１２を引き上げることができるように、蓋外周縁１２２ｂの一部に開蓋用のつまみ片が設けられてもよい。また、該つまみ片にも蓋外周縁１２２ｂと同様にエッジの鋭利さを解消する施策が施されていてもよい。更に、上記した蓋外周縁１２２ｂのエッジの鋭利さを解消するための種々の施策は、容器本体１１の外周縁に施されていてもよい。
【００２３】
前記蓋体１２は、蓋本体部１２１の外周の縦方向に沿って複数の縦リブ（図示せず）が形成されてもよい。該複数の縦リブは、傾斜部１２１ｂに形成されるのが好ましく、蓋本体部１２１の周方向に沿って、複数箇所に形成されるのがよい。かかる縦リブが形成された場合には、蓋本体部１２１の強度、より詳しくは、高さ方向からの力に対する強度が増すこととなり、蓋体１２全体として丈夫なものとすることができる。
【００２４】
前記容器本体１１及び蓋体１２は、プラスチックシート（合成樹脂製シート）が熱成形されて構成されたものである。プラスチックとしては、例えば、ポリプロピレン（ＰＰ）、ポリエチレンテレフタレート（ＰＥＴ）、あるいはポリスチレン（ＰＳ）等を単独、或いは、２種類以上が混合されたものが用いられる。また、これらの樹脂にタルクや炭酸カルシウムなどの無機物が添加されてもよく、２種類以上の樹脂が混合されて用いられる際には、相溶化剤が添加されてもよい。また、容器本体１１は、着色が施された非発泡シート、もしくは、発泡シートであってもよく、蓋体１２を介して内容物を視認することができる点で、蓋体１２は透明であるのが好ましい。
【００２５】
帯状体１３は、蓋体１２を横断するように蓋体付容器本体１０の外周に巻き回されている。また、帯状体１３は、その下方領域に、後述の凹部１２３ａが納まるような幅で形成されている。なお、凹部１２３ａについては、後に詳しく説明する。
【００２６】
帯状体１３を形成する材質としては、例えば、熱収縮性を有する材質等を用いることができる。また、帯状体１３は、蓋体付容器本体１０に巻き付けられた状態で、蓋体１２の天面部１２１ａに密接するように構成されることが好ましい。
【００２７】
本実施形態の容器１は、内容物（食品等）が加熱された際に発生する水蒸気を容器１内から外側へ放散させるように構成されている。具体的には、蓋体１２は、図３及び図４に示すように、帯状体１３の横断する領域Ｔ（帯状体１３の下方領域Ｔ）に形成された凹部１２３ａと、該凹部１２３ａに切り込まれて形成された切込部１２３ｂと、凹部１２３ａに連通するように形成された溝部１２３ｃとを備えている。
【００２８】
前記凹部１２３ａは、天面部１２１ａよりも下方に形成された凹部底部１２３ａ’と該凹部底部１２３ａ’の外周から天面部１２１ａに向かって起立するように形成された凹部壁部１２３ａ’’とから構成されている。凹部底部１２３ａ’と天面部１２１ａとの間には、所定の間隔が形成されている。具体的には、凹部底部１２３ａ’と天面部１２１ａとの間隔は、容器１内の水蒸気が切込部１２３ｂから放出された際に、帯状体１３が水蒸気の放出の邪魔にならないように構成されている。
【００２９】
また、凹部底部１２３ａ’は、平面視円形状に形成されており、凹部１２３ａは、全体として逆円錐台状に形成されている。また、凹部１２３ａは、天面部１２１ａの略中央に位置するように且つ帯状体１３の下方領域Ｔに配され、その全体が帯状体１３の下方領域Ｔに納まるように形成されている。
【００３０】
前記切込部１２３ｂは、凹部底部１２３ａ’に切り込まれて形成されている。具体的には、切込部１２３ｂは、凹部底部１２３ａ’に舌片状の開閉片１２３ｂ’を形成するように形成されている。前記開閉片１２３ｂ’は、加熱時に於いて、容器１内で上昇した圧力によって押し上げられて開状態となり、容器１の内外が連通し、水蒸気を外部へ放出しうるように構成されている。
【００３１】
前記溝部１２３ｃは、天面部１２１ａに形成され、少なくとも一端（図３、４に於いては両端）が凹部１２３ａに連通するように構成されている。より詳しくは、溝部１２３ｃは、一対の溝壁部１２３ｃ’を有し、一対の溝壁部１２３ｃ’の下端部同士が連結されて形成されて、横断面がＶ字状となるように形成されている。
【００３２】
前記溝部１２３ｃは、凹部１２３ａから蓋体１２の外周方向に向かって延在する外方延在部１２３ｃ’’を有するように形成されている。具体的には、溝部１２３ｃは、少なくとも一端が凹部１２３ａに連通するように且つ外方延在部１２３ｃ’’が外周方向に向かって延在するように構成されている。また、溝部１２３ｃは、外方延在部１２３ｃ’’の一部が帯状体１３の下方領域Ｔよりも外側に位置するように形成されている。
【００３３】
前記溝部１２３ｃは、外方延在部１２３ｃ’’が曲線状をなすように形成されている。具体的には、溝部１２３ｃは、外方延在部１２３ｃ’’が平面視において円弧状をなすように形成されている。また、溝部１２３ｃは、複数形成されており。また、複数の溝部１２３ｃは、それぞれ交差するように且つ交差する部分で互いに連通するように構成されている。
【００３４】
前記溝部１２３ｃは、凹部１２３ａに開放する部分の断面積よりも、凹部１２３ａから最も離れた位置の断面積の方が小さくなるように形成されている。具体的には、溝部１２３ｃは、凹部１２３ａから離れるに従って断面積が小さくなるように形成される。より詳しくは、Ｖ字状に形成された溝部１２３ｃは、凹部１２３ａから離れるに従って、その深さが浅くなると共に、その幅が小さくなるように形成されている。このため、溝部１２３ｃは、凹部１２３ａに開放する部分の断面積よりも、帯状体１３の下方領域Ｔよりも外側に形成された部分の断面積の方が小さくなるように形成されている。
【００３５】
前記蓋体１２には、凹部１２３ａ以外に第２の凹部１２４が備えられている。該第２凹部１２４は、食品等の内容物と共に食す調味料や薬味等が包装された包装体（収容物）を収容可能に構成されている。また、第２の凹部１２４は、帯状体１３の下方に形成されている。具体的には、第２の凹部１２４は、帯状体１３の下方領域Ｔの幅よりも広い幅で形成され、その一部が帯状体１３の下方領域Ｔよりも外側に形成されている。このように形成されることで、帯状体１３から外側に形成された部分から第２の凹部１２４に収容された収容物を封止状態を維持したまま取り出すことができる。これにより、内容物と共に収容物を加熱したくない場合には、収容物を第２の凹部１２４から取り出して内容物を加熱することができる。
【００３６】
以上のように、本実施形態にかかる容器１によれば、容器１内への異物の侵入を効果的に抑制することができると共に、内容物を加熱した際に発生する水蒸気を容器１の外側へ効果的に放散し、容器１の内圧の上昇を抑制することが可能となる。
【００３７】
即ち、前記容器１は、帯状体１３が横断する領域に形成された凹部１２３ａと、該凹部１２３ａに切り込まれて形成された切込部１２３ｂと、前記凹部１２３ａに連通し、凹部１２３ａから蓋体１２の外周方向に向かって曲線状に延在する外方延在部１２３ｃ’’を有する溝部１２３ｃとが蓋体１２に備えられることで、内容物が加熱されることによって発生した水蒸気を溝部１２３ｃを通して外部に放散することができる。
【００３８】
具体的には、帯状体１３が横断する領域Ｔ、即ち、帯状体１３の下方領域Ｔに形成された凹部１２３ａに切込部１２３ｂが形成されていることで、帯状体１３と切込部１２３ｂとの間に間隔が形成されるため、帯状体１３に邪魔されることなく切込部１２３ｂからスムーズに水蒸気を容器１の外側、即ち、凹部１２３ａへ放出させることができる。また、切込部１２３ｂが帯状体１３に覆われた状態となっているため、切込部１２３ｂから異物を容器内へ侵入させ難くすることができる。
【００３９】
また、溝部１２３ｃの外方延在部１２３ｃ’’の一部が帯状体１３の横断する領域よりも外側に形成されていることで、溝部１２３ｃに流れ込んだ水蒸気を帯状体１３の下方領域からその外側に放散させることができる。具体的には、帯状体１３の下方領域内に形成された凹部１２３ａにいったん水蒸気が放散され、溝部１２３ｃを介して帯状体１３の下方領域Ｔよりも外側に水蒸気を放散することができる。
【００４０】
また、溝部１２３ｃの外方延在部１２３ｃ’’が曲線状に延在していることで、外方延在部１２３ｃ’’を通じて凹部１２３ａへ、延いては、容器１内へ異物が侵入するのを抑制することができる。溝部が直線状に形成された場合よりも危険物等の異物を侵入させ難くすることができる。
【００４１】
前記容器１は、溝部１２３ｃが凹部１２３ａから離れるに従って断面積が小さくなるように形成されることで、外部からの異物の侵入を抑制することができる。具体的には、溝部１２３ｃの断面積が凹部１２３ａから離れるに従って小さくなることで、帯状体１３の下方領域よりも外側に形成された部分の断面積が小さくなり、溝部１２３ｃの内側に異物が侵入するのを抑制することができる。また、凹部１２３ａの近傍では、溝部１２３ｃの断面積を十分大きく形成することができるため、切込部１２３ｂから放出された水蒸気を溝部１２３ｃへ送りやすくすることができる。
【００４２】
尚、本発明は、上記実施形態に限定されるものではなく、本発明の要旨を逸脱しない範囲で種々の変更が可能である。
【００４３】
例えば、図５（ａ）に示すように、溝部の一端のみが凹部１２３ａに連通するように構成されていてもよい。
【００４４】
また、溝部１２３ｃの外方延在部１２３ｃ’’の形状も円弧状に限定されるものではなく、図５（ｂ）に示すように、外方延在部１２３ｃ’’が、平面視において、波線状に形成されてもよい。この場合、外方延在部１２３ｃ’’が屈曲する部分が複数設けられるため、より確実に異物の侵入を抑制することができる。
【００４５】
また、本発明に於いては、図６に示すように、溝部１２３ｅの他端部が天面部１２１ａの外周部近傍に位置するように構成されてもよい。このように構成されることで、帯状体１３の幅が変更されても確実に溝部１２３ｃの外方延在部１２３ｃ’’の一部が帯状体１３の下方領域Ｔから外側に位置することとなり、帯状体１３の幅に影響されることなく溝部１２３ｃを通じて水蒸気を容器の外部へ放散することができる。
【００４６】
また、上記実施形態においては、溝部１２３ｃの断面がＶ字状に形成されているが、これに限定されるものではなく、断面がＵ字状、或いは、多角形状（具体的には、四角形状）に形成されてもよい。
【００４７】
また、上記実施形態においては、切込部１２３ｂは、開閉片１２３ｂ’を形成するように切り込まれて構成されているが、これに限定されるものではなく、凹部底部１２３ａ’に直線状に切り込まれて、容器の内外を連通するように構成されてもよい。
【００４８】
また、上記実施形態においては、容器本体１１と蓋体１２とが内嵌合するように構成されているが、これに限定されるものではなく、蓋体１２が容器本体１１の本体外周部１１２を覆うように形成され、本体外周部１１２の外側から蓋体１２が係合するように構成された、いわゆる外嵌合タイプのものであってもよい。
【００４９】
また、上記実施形態においては、容器１が逆円錐台状に形成されているが、これに限定されるものではなく、直方体等の多面体に形成されたものであってもよい。
【図面の簡単な説明】
【００５０】
【図１】（ａ）は、本発明の一実施形態に係る包装用容器の斜視図、（ｂ）は、包装用容器を蓋体側から見た平面視図を示す。
【図２】図１（ｂ）のＡ−Ａ線断面図を示す。
【図３】本実施形態に係る蓋体の平面視図を示す。
【図４】本実施形態に係る凹部、切込部及び溝部の構成を示した斜視図を示す。
【図５】（ａ），（ｂ）は、本発明の他実施形態に係る凹部、切込部及び溝部の平面視図を示す。
【図６】本発明の他実施形態に係る凹部、切込部及び溝部の平面視図を示す。
【符号の説明】
【００５１】
１…包装用容器、１０…蓋体付容器本体、１１…容器本体、１２…蓋体、１３…帯状体、１１１…本体収容部、１１２…本体外周部、１１２ａ…係合用凸部、１２１…蓋本体部、１２１ａ…天面部、１２１ｂ…傾斜部、１２１ｃ…連結部、１２２…蓋外周部、１２２ａ…係合用凸部、１２２ｂ…蓋外周縁、１２３ａ…凹部、１２３ａ’…凹部底部、１２３ａ’’…凹部壁部、１２３ｂ…切込部、１２３ｂ’…開閉片、１２３ｃ…溝部、１２３ｃ’’…外方延在部、１２４…第２の凹部、
【図１】
2010100311.tif 000003
【図２】
2010100311.tif 000004
【図３】
2010100311.tif 000005
【図４】
2010100311.tif 000006
【図５】
2010100311.tif 000007
【図６】
2010100311.tif 000008